(57)【要約】【課題】省スペース化及び低コスト化を図ることが可能なブック原稿読取装置を提供する。【解決手段】ブック原稿１０を載置するブック原稿載置台２と、ブック原稿載置台２上のブック原稿１０を照明する光源２０及び光源２０からの光を反射する第１ミラー２１を有しブック原稿載置台２上に開かれた状態で載置されたブック原稿１０の頁をめくる頁めくりユニット３と、第１ミラー２１からの光が入射する第２ミラー３３と、第２ミラー３３によって反射された光を光電変換素子６に結像させるレンズ５とを備えたブック原稿読取装置１において、原稿読取時に頁めくりユニット３及び第２ミラー３３をブック原稿１０の原稿面に対して移動させ、レンズ５を固定させる構成とした。【選択図】　　　　　　　　　　　　図１
2004093740.tif 000002
【特許請求の範囲】
【請求項１】
ブック原稿を載置するブック原稿載置台と、
前記ブック原稿載置台上のブック原稿を照明する光源及び前記光源からの光を反射する第１ミラーを有し、前記ブック原稿載置台上に開かれた状態で載置されたブック原稿の頁をめくる頁めくりユニットと、
第１ミラーからの光が入射する第２ミラーと、
第２ミラーによって反射された光を光電変換素子に結像させるレンズとを備えたブック原稿読取装置において、
原稿読取時において、前記頁めくりユニット及び第２ミラーが前記ブック原稿の原稿面に対して移動し、前記レンズが固定されていることを特徴とするブック原稿読取装置。
【請求項２】
請求項１記載のブック原稿読取装置において、前記頁めくりユニットの移動速度をＶとしたとき第２ミラーの移動速度がＶ／２であることを特徴とするブック原稿読取装置。
【請求項３】
請求項２記載のブック原稿読取装置において、前記頁めくりユニットの上方に設けられ原稿を載置するコンタクトガラスと、前記コンタクトガラス上の原稿を照明する他の光源と、前記他の光源からの光を反射して第２ミラーに入射させる第３ミラーとを有し、前記他の光源及び第３ミラーが前記頁めくりユニットと一体的に移動することを特徴とするブック原稿読取装置。
【請求項４】
請求項３記載のブック原稿読取装置において、第２ミラーは第１ミラーからの光を反射する第１の位置と第３ミラーからの光を反射する第２の位置とに変位自在であることを特徴とするブック原稿読取装置。
【発明の詳細な説明】
【０００１】
【発明の属する技術分野】
本発明は、複写機及びファクシミリ等の原稿読取装置として使用される、ブック原稿の画像読取機能及び頁めくり機能を備えたブック原稿読取装置に関する。
【０００２】
【従来の技術】
近年、ブック原稿の画像情報を読み取った後に、読み取られた原稿の頁めくりを自動的に行うブック原稿読取装置が種々提案されている。このブック原稿読取装置として、ブック原稿が開かれた状態で載置されるブック原稿載置台と、ブック原稿を照明する光源及びこの光源からの光を反射する第１ミラー及びブック原稿の頁をめくるためのめくりベルト及びめくりベルトによってめくられた頁を収納ガイドへ搬送するための頁搬送ローラ等を有する頁めくりユニットと、第１ミラーからの光が入射する第２ミラーと、第２ミラーによって反射された光を光電変換素子に結像させるレンズユニットとを有するブック原稿読取装置が、例えば特開平７−３０７８４２号公報に開示されている。
【０００３】
このブック原稿読取装置は、頁めくりユニットを読取位置に載置されたブック原稿の原稿面に対して往復移動させることにより、ブック原稿の頁を頁めくりユニットによって１枚ずつ分離してめくりながら原稿画像の読取走査を行うものである。このブック原稿読取装置によれば、画像形成時において非常に面倒であったブック原稿の頁めくり動作及び読取動作を完全に自動化させることができ、作業性及び生産性を著しく向上することが可能である。
【０００４】
【発明が解決しようとする課題】
上述した頁めくりユニットは、ブック原稿の原稿面を押さえる原稿押さえローラ、ブック原稿読取用のプラテンガラス、頁めくり用のめくりベルト、光源としての蛍光灯、コンタクトガラス上の原稿を照明する他の蛍光灯、蛍光灯からの光を反射する第１ミラー、第１ミラーからの光が入射する第２ミラー、他の蛍光灯からの光を反射して第２ミラーに入射させる第３ミラー、第２ミラーによって反射された光を光電変換素子に結像させるレンズユニット等が全て一体的に設けられており、頁めくりユニット自体が大型化、重量化されていた。
【０００５】
そのため、頁めくりユニットの走行経路を確保するためにブック原稿読取装置自体が大型化、重量化してしまい、省スペース化及び低コスト化の妨げとなっていた。また、重量のある頁めくりユニットを移動させるモータ等の移動手段としても出力の高いものを使用する必要があり、これも省スペース化及び低コスト化の妨げとなっていた。
本発明は上記問題点を解決し、省スペース化及び低コスト化を図ることが可能なブック原稿読取装置の提供を目的とする。
【０００６】
【課題を解決するための手段】
請求項１記載の発明は、ブック原稿を載置するブック原稿載置台と、前記ブック原稿載置台上のブック原稿を照明する光源及び前記光源からの光を反射する第１ミラーを有し、前記ブック原稿載置台上に開かれた状態で載置されたブック原稿の頁をめくる頁めくりユニットと、第１ミラーからの光が入射する第２ミラーと、第２ミラーによって反射された光を光電変換素子に結像させるレンズとを備えたブック原稿読取装置において、原稿読取時において、前記頁めくりユニット及び第２ミラーが前記ブック原稿の原稿面に対して移動し、前記レンズが固定されていることを特徴とする。
【０００７】
請求項２記載の発明は、請求項１記載のブック原稿読取装置において、さらに前記頁めくりユニットの移動速度をＶとしたとき第２ミラーの移動速度がＶ／２であることを特徴とする。
【０００８】
請求項３記載の発明は、請求項２記載のブック原稿読取装置において、さらに前記頁めくりユニットの上方に設けられ原稿を載置するコンタクトガラスと、前記コンタクトガラス上の原稿を照明する他の光源と、前記他の光源からの光を反射して第２ミラーに入射させる第３ミラーとを有し、前記他の光源及び第３ミラーが前記頁めくりユニットと一体的に移動することを特徴とする。
【０００９】
請求項４記載の発明は、請求項３記載のブック原稿読取装置において、さらに第２ミラーは第１ミラーからの光を反射する第１の位置と第３ミラーからの光を反射する第２の位置とに変位自在であることを特徴とする。
【００１０】
【実施例】
図１は、本発明の一実施例を採用したブック原稿読取装置を示している。同図においてブック原稿読取装置１は、ブック原稿載置台２、頁めくりユニット３、第２ミラーを有するミラーユニット４、レンズ５、光電変換素子６、光学ユニット７等を有している。
【００１１】
一対のブック原稿載置台２は、ブック原稿読取装置１の中央を基準として左右対象となる位置にそれぞれ配設されており、各ブック原稿載置台２の下部にはリンクを構成する脚部２ａ，２ｂがそれぞれ設けられている。各脚部２ａは読取装置本体を構成する底板８上に設けられた支持部材８ａにその一端をそれぞれ回動自在に取り付けられており、各脚部２ｂは底板８上に設けられた長穴を有する支持部材８ｂにその一端をそれぞれ移動可能に取り付けられている。
【００１２】
底板８の両側端部には各脚部２ｂを移動させるための駆動手段９が設けられている。各駆動手段９は、各脚部２ｂに接続された図示しないチェーンやワイヤ等を巻き取ることにより、各ブック原稿載置台２を昇降させる。各ブック原稿載置台２間には、各ブック原稿載置台２を接続すると共にブック原稿１０の背表紙が載置される接続板２ｃが配設されている。
【００１３】
ブック原稿載置台２の上方には、頁めくりユニット３が配設されている。頁めくりユニット３は、図２に示すように、その下側両側部に原稿押さえローラ１１及び原稿押さえローラ１２ａ，１２ｂを有している。各原稿押さえローラ１１，１２ａ，１２ｂはブック原稿１０の縦幅（高さ方向の長さ）とほぼ同じ幅を有しており、頁めくりユニット本体１３にそれぞれ回転自在に支持されている。各原稿押さえローラ１２ａ，１２ｂは、図示しないリンクによってそれぞれの軸芯が連結されており、原稿押さえローラ１２ａは原稿押さえローラ１２ｂの軸芯を中心に揺動自在に構成されている。
【００１４】
原稿押さえローラ１１の近傍にはシート巻き取りローラ１４が、各原稿押さえローラ１２ａ，１２ｂの近傍にはシート巻き取りローラ１５がそれぞれ配設されている。各シート巻き取りローラ１４，１５は各原稿押さえローラ１１，１２ａ，１２ｂとほぼ同じ幅を有しており、頁めくりユニット本体１３にそれぞれ回転自在に支持されている。
【００１５】
シート巻き取りローラ１４には、読取装置本体を構成する側板１６（図１参照）に一端を固定された原稿押さえシート１７の他端が原稿押さえローラ１１を介して巻き付けられており、シート巻き取りローラ１５には、側板１６に一端を固定された原稿押さえシート１８の他端が各原稿押さえローラ１２ａ，１２ｂを介して巻き付けられている。各原稿押さえシート１７，１８は、ポリエチレンテレフタラートの糸で織った布にゴム系樹脂を両面から溶け込ませたシート状部材で構成されており、その表面に残留した布の凹凸によって帯電による吸着力が作用しにくい構造となっている。各シート巻き取りローラ１４，１５の軸芯には図示しない付勢手段が設けられており、各原稿押さえシート１７，１８には所定の張力が付与されるように構成されている。
【００１６】
各シート巻き取りローラ１４，１５の軸芯には図示しないギヤが設けられており、これらのギヤは側板１６に両端を固定されブック原稿読取装置１のほぼ全幅にわたって歯を有する図示しない駆動ラックに噛合している。この構成により、後述するユニット移動手段によって頁めくりユニット３が図１の左右方向に移動されたときに、各原稿押さえローラ１１，１２ａ，１２ｂを介して各原稿押さえシート１７，１８の引き出し及び巻き取りが行われる。
【００１７】
原稿押さえローラ１１の右方にはブック原稿１０を読み取るためのプラテンガラス１９が配設されている。プラテンガラス１９はその両側部を図示しないガラスホルダによって保持されており、その下面位置は各原稿押さえローラ１１，１２ａの最下点を結んだ読取面よりも若干上方に位置するように設定されている。プラテンガラス１９の位置は光学系の縮小率に応じて決定される。
【００１８】
プラテンガラス１９の上方には、ブック原稿１０を照明するための光源としての２本の蛍光灯２０が配設されている。蛍光灯２０のさらに上方には、蛍光灯２０から照射された光を反射する第１ミラー２１が配設されている。第１ミラー２１は所定の角度で頁めくりユニット本体１３に固定されており、頁めくりユニット本体１３には第１ミラー２１によって反射された光を外部に通すための図示しない孔が設けられている。
【００１９】
原稿押さえローラ１２ａとプラテンガラス１９との間の位置には、ブック原稿１０の頁をめくるめくりベルト２２が配設されている。めくりベルト２２はめくりベルト駆動ローラ２３とめくりローラ２４とに掛け渡されており、ベルト上部のめくりベルト駆動ローラ２３近傍の位置には帯電ローラ２５がめくりベルト２２に接触して配置されている。
【００２０】
めくりベルト２２は、ポリエチレンテレフタラート、ポリカーボネート、ポリ塩化ビニル等の樹脂によって構成され、表面層が表面抵抗１０１４Ω以上の高抵抗フィルムから、裏面層が表面抵抗１０８Ω以下の低抵抗フィルムからそれぞれなる二重構造の樹脂フィルムで構成されている。
【００２１】
めくりベルト駆動ローラ２３は頁めくりユニット本体１３に回転自在に支持されており、その軸芯には図示しないギヤが取り付けられている。この図示しないギヤは上述した図示しない駆動ラックに噛合しており、後述するユニット移動手段によって頁めくりユニット３が図１の左右方向に移動されたときに、めくりベルト駆動ローラ２３が回転駆動されることによってめくりベルト２２が頁めくりユニット３と同速度で同方向に移動される。めくりベルト駆動ローラ２３は接地された金属ローラの表面に導電性ゴムを被覆して構成されており、めくりベルト２２の駆動とアースとを確実に行うことが可能となるように構成されている。
【００２２】
めくりローラ２４は頁めくりユニット本体１３に揺動自在に支持された図示しないブラケットに回転自在に支持されており、この図示しないブラケットが図示しないソレノイドによって揺動されることにより、図に実線で示す位置と破線で示す位置とを選択的に占める。
【００２３】
帯電ローラ２５は金属ローラまたは金属ローラの表面に導電性ゴムを被覆したローラによって構成されており、帯電ローラ２５には、図示しない切り換えスイッチを介して、交流電源から所定のタイミングで±２〜４ｋＶの高電圧が印加される。帯電ローラ２５は頁めくりユニット本体１３に揺動自在に支持された図示しないブラケットに回転自在に支持されており、図示しない付勢手段によってその周面が所定の圧接力で常時めくりベルト２２の表面に圧接するように構成されている。帯電ローラ２５とめくりベルト２２との圧接は、めくりローラ２４が破線位置を占めてめくりベルト２２の位置が変更されても継続される。
【００２４】
上述の構成より、頁めくりユニット３を移動させてめくりベルト２２を駆動しながら、所定のタイミングで帯電ローラ２５に±２〜４ｋＶの交流電圧を作用させるとめくりベルト２２の表面に交番電界が生じ、この交番電界の作用によってめくりベルト２２の表面に、めくりベルト２２に接触したブック原稿１０の最上位頁を吸着させる吸着力が発生する。
【００２５】
原稿押さえローラ１２ａの上方には頁送りローラ２６が配設されている。頁送りローラ２６は頁めくりユニット本体１３に移動可能に支持された図示しないブラケットに回転自在に支持されており、この図示しないブラケットが図示しないソレノイドによって移動されることにより、図に実線で示すめくりベルト２２から離隔した位置と、破線で示すめくりベルト２２に圧接する位置とを選択的に占める。頁送りローラ２６は、図２の破線位置を占めたときにめくりベルト２２の移動に伴って従動回転する。
【００２６】
頁送りローラ２６の右方には頁ガイド２７，２８が配設されている。各頁ガイド２７，２８は基端をそれぞれ頁めくりユニット本体１３に取り付けられた板材によって構成されており、その自由端はめくりベルト２２と頁送りローラ２６とによってめくり上げられたブック原稿１０の最上位頁が進入し易いように、それぞれ下方へ向けて曲折形成されている。頁ガイド２８の上部には、めくり上げられたブック原稿１０の最上位頁が各頁ガイド２７，２８間に進入した際にこれを検知する頁検知センサ２９が配設されている。
【００２７】
頁めくりユニット３の左方にはミラーユニット４が配設されている。ミラーユニット４は、後述するユニット移動手段によって頁めくりユニット３と同期して同方向に移動される。ミラーユニット４は、図３に示すように、ミラーユニット本体３０、その内部に配設された反射ミラー３１，３２及び第２ミラー３３から主に構成されている。反射ミラー３１は、後述する光学ユニット７から照射された光を第２ミラー３３に向けて反射すべく所定の角度でミラーユニット本体３０内部に固設されており、反射ミラー３２は第１ミラー２１から照射された光を第２ミラー３３に向けて反射すべく所定の角度でミラーユニット本体３０内部に固設されている。ミラーユニット本体３０には各反射ミラー３１，３２に向けて照射される光を通すための図示しない孔が設けられている。
【００２８】
第２ミラー３３は、ミラーユニット本体３０の内部に回動自在に支持されており、ミラーユニット本体３０に取り付けられた図示しないモーター等の移動手段によって、図３に実線で示す、反射ミラー３２を介して第１ミラー２１から照射された光を後述するレンズ５に向けて反射する第１の位置と、図３に破線で示す、反射ミラー３１を介して後述する光学ユニット７から照射された光を後述するレンズ５に向けて反射する第２の位置とを選択的に占める。ミラーユニット本体３０には、第２ミラー３３から照射される光を通すための図示しない孔が設けられている。
【００２９】
読取装置本体の上部右方には、レンズ５及び光電変換素子６が配設されている。第２ミラー３３から照射された光が入射するレンズ５は、光を集束させて結像させる周知の構成であり、集束された光はＣＣＤ等の光電変換素子６に送られて光電変換される。レンズ５及び光電変換素子６は、読取装置本体を構成する図示しない側板に図示しないブラケットを介してそれぞれ固設されている。
【００３０】
頁めくりユニット３の上方には光学ユニット７が配設されている。光学ユニット７は、後述するユニット移動手段によって頁めくりユニット３と一体的に移動される。光学ユニット７は、図４に示すように、光学ユニット本体３４、その内部に配設された他の光源としての蛍光灯３５、蛍光灯３５の光を反射する反射板３６、第３ミラー３７から主に構成されている。
【００３１】
蛍光灯３５は、読取装置本体の上部に配設されたコンタクトガラス３８（図１参照）上に載置された原稿を照射するために用いられ、反射板３６は蛍光灯３５の光が集束するように放物線形状を呈している。蛍光灯３５及び反射板３６は、光学ユニット本体３４の内部に固設されている。蛍光灯３５から照射された光を反射する第３ミラー３７は所定の角度で光学ユニット本体３４に固定されており、光学ユニット本体３４には第３ミラー３７によって反射された光を外部に通すための図示しない孔が設けられている。
【００３２】
図５にユニット移動手段の概略図を示す。同図においてユニット移動手段３９は、コンベア４０、移動ベルト４１等を有している。コンベア４０は、読取装置本体に回転自在に支持され図示しない回転駆動手段によって正逆回転される駆動ローラ４２、読取装置本体に回転自在に支持された従動ローラ４３、各ローラ４２，４３間に掛け渡された複数の無端ベルト４４から主に構成されている。
【００３３】
細切れローラである各ローラ４２，４３は、両端に位置するローラが頁めくりユニット３の幅（図１における奥行き方向の長さ）とほぼ同じとなるように配置されており、各無端ベルト４４上には頁めくりユニット本体１３が取り付けられている。また、頁めくりユニット本体１３あるいは無端ベルト４４にはユニット支持部材４５が取り付けられており、ユニット支持部材４５には光学ユニット本体３４が取り付けられている。光学ユニット本体３４は、読取装置本体に設けられた図示しないレール部材によって左右方向に移動自在に支持されており、図示しない回転駆動手段によってコンベア４０が移動され、頁めくりユニット本体１３が図５の実線位置から破線位置へ、あるいは破線位置から実線位置へと移動される際に、頁めくりユニット本体１３と一体的に移動される。
【００３４】
コンベア４０の上方には移動ベルト４１が配設されている。移動ベルト４１は、その一端を読取装置本体に固着されており、その他端はミラーユニット本体３０に取り付けられたころ４６を介してユニット本体１３あるいは無端ベルト４４に取り付けられたベルト支持部材４７に固着されている。ころ４６は、読取装置本体に設けられた図示しないレール部材に嵌合されており、ミラーユニット本体３０は図５の左右方向に移動自在に構成されている。
【００３５】
図示しない回転駆動手段によってコンベア４０が移動され、頁めくりユニット本体１３（頁めくりユニット３）及び光学ユニット本体３４（光学ユニット７）が図５の実線位置から破線位置へ、あるいは破線位置から実線位置へと一体的に移動される際に、ミラーユニット本体３０（ミラーユニット４）もこれらと同期して移動される。この構成により、蛍光灯２０によって照射され第１ミラー２１及び第２ミラー３３を介してレンズ５に入射される光路長さと蛍光灯３５によって照射され第３ミラー３７及び第２ミラー３３を介してレンズ５に入射される光路長さとを等しくすることができる。このとき、頁めくりユニット３及び光学ユニット７の移動量Ｌに対し、ミラーユニット４の移動量はＬ／２となり、頁めくりユニット３及び光学ユニット７とミラーユニット４とが同期して移動することから、頁めくりユニット３及び光学ユニット７の移動速度Ｖに対してミラーユニット４の移動速度はＶ／２となる。
【００３６】
【発明の効果】
本発明によれば、第２ミラーを有するミラーユニットを頁めくりユニットとは別体とし、互いに同期して移動可能に構成したので、頁めくりユニットを小型化することができ、省スペース化及び低コスト化を図ることができると共に、頁めくりユニットの移動手段として低出力のものを使用でき、さらに省スペース化及び低コスト化を図ることができる。
【図面の簡単な説明】
【図１】本発明の一実施例を採用したブック原稿読取装置の概略正面図である。
【図２】本発明の一実施例に用いられる頁めくりユニットの概略図である。
【図３】本発明の一実施例に用いられるミラーユニットの概略図である。
【図４】本発明の一実施例に用いられる光学ユニットの概略図である。
【図５】本発明の一実施例に用いられるユニット移動手段を説明する概略図である。
【符号の説明】
１　ブック原稿読取装置
２　ブック原稿載置台
３　頁めくりユニット
５　レンズ
６　光電変換素子
１０　ブック原稿
２０　光源（蛍光灯）
２１　第１ミラー
３３　第２ミラー
３５　他の光源（蛍光灯）
３７　第３ミラー
３８　コンタクトガラス
【図１】
2004093740.tif 000003
【図２】
2004093740.tif 000004
【図３】
2004093740.tif 000005
【図４】
2004093740.tif 000006
【図５】
2004093740.tif 000007